(57)【要約】【課題】  外部電極管蛍光ランプ（ＥＥＦＬ管）を用いたバックライトの電源回路を構成するインバータ基板に対する接続信頼性を高めることができる短絡コネクタを提供する。【解決手段】  絶縁ハウジング２１に収容された２極のピンコンタクト３１，３１が、ハウジング２１の開口部２３に向けてほぼ平行に突出する２本の接触ピン部３２，３２と、ハウジング２１から延出してプリント配線板にはんだ付けされる２つのリード部３４，３４とを有し、接触ピン部３２とリード部３４との中間部分３３が接続片３６により一体的に接続されている短絡構造のコンタクト２２を備えた雄コネクタ２０である。【選択図】      図６
2006310208.tif 000002
【特許請求の範囲】
【請求項１】
絶縁ハウジングに収容された２極のピンコンタクトが、前記ハウジングの開口部に向けてほぼ平行に突出する２本の接触ピン部と、該両接触ピン部に対応して設けられ、前記ハウジングから延出してプリント配線板にはんだ付けされる２つのリード部とを有し、前記接触ピン部と前記リード部との中間部分が接続片により一体的に接続されている短絡構造のコンタクトを備えた雄コネクタであって、
２本の電線端部に接続された一対のソケットコンタクトを絶縁ハウジングに収容した雌コネクタが、前記開口部に挿入して、前記一対のソケットコンタクトと前記両接触ピン部が嵌合接続することを特徴とする短絡コネクタ。
【請求項２】
前記両リード部は、互いに横外側方へ屈曲して延出し、そのはんだ付け部分が前記ハウジングの底部後端の両隅に配設されている請求項１記載の短絡コネクタ。
【請求項３】
前記ハウジングの底部前端の両隅に補強タブが設けられている請求項１又は２記載の短絡コネクタ。
【請求項４】
前記ハウジングの後側壁に前記両接触ピン部が貫通する挿通孔と、前記接続片が嵌合して保持される嵌合溝とが設けられている請求項１、２又は３記載の短絡コネクタ。
【発明の詳細な説明】
【技術分野】
【０００１】
本発明は、例えばパソコンなどの液晶画面の光源となるバックライトの電源回路を構成するインバータ基板に実装するのに適した短絡コネクタに関するものである。
【背景技術】
【０００２】
パソコンなどの液晶画面の光源となるバックライトには、図１１に示すように、複数の冷陰極蛍光ランプ（ＣＣＦＬ管）１を配列したものが使用されている。該ＣＣＦＬ管１は両端にピン状電極２，２を有し、電源回路を構成する１枚のインバータ基板（プリント配線板）３に個別に接続されている。各ＣＣＦＬ管１を各インバータ基板３に電気的に接続する電気コネクタには、例えば特許文献１、あるいは特許文献２等に開示されているコネクタが用いられている。その細部についての説明は省略するが、絶縁ハウジングに２本のピンコンタクトが並列して収容され、その２つのリード部をインバータ基板３にはんだ付けして表面実装された雄コネクタ４と、２本の電線５，５端部に接続された一対のソケットコンタクトを絶縁ハウジングに並列して収容した雌コネクタ６とからなり、２本の電線５，５の他端部をＣＣＦＬ管１のピン状電極２，２にはんだ付け７，７して接続し、雌コネクタ６を雄コネクタ４に嵌合接続して各ＣＣＦＬ管１が個別に１枚のインバータ基板３に電気的に接続されている。
【０００３】
しかし、上記のような回路構成では、１本のＣＣＦＬ管１につき、インバータ基板３が１枚と、一対の雄コネクタ４、雌コネクタ６を用いるので、全体として多数のインバータ基板３と、多数の雄コネクタ４及び雌コネクタ６を必要とし、コスト高になる。また、各ＣＣＦＬ管１のピン状電極２，２に電線５，５をはんだ付けして使用する場合が多いので、はんだ付け作業に手間を要するという問題があった。
【０００４】
近年、この種のバックライトとして、従来のＣＣＦＬ管１に代えて、図１０に示すような外部電極蛍光ランプ（ＥＥＦＬ管）１０が使用されるようになった。該ＥＥＦＬ管１０は、Ｎｅガス、Ａｒガスなどを封入した細長いガラス管の両端にキャップ状外部電極１１，１１を被覆した構造を有しており、図１０は、該ＥＥＦＬ管１０を用いてバックライトの電源回路を構成した例を示している。
【０００５】
ＥＥＦＬ管１０を用いた回路構成では、各ＥＥＦＬ管１０間の接続は並列回路となり、多数のＥＥＦＬ管１０を配列したバックライトの場合でも、インバータ基板３は２枚だけですみ、コストメリットが高くなる。各ＥＥＦＬ管１０の外部電極１１，１１は、リレー基板１２，１２の導電性パターン１３，１３に並列して電気的に接続されている端子金具１４，１４に着脱可能に嵌め込んで接続されている。また、導電性パターン１３，１３には２本の電線１５，１５がはんだ付け又は端子を介して電気的に接続されている。このような回路構成とすることで、組立作業性、コストメリットが高くなり、さらに、ＥＥＦＬ管１０の交換作業が容易になる等多くの利点がある。
【０００６】
上記の回路構成において、各ＥＥＦＬ管１０の電極１１，１１に並列回路で接続した２本の電線１５，１５はそれぞれインバータ基板３，３に個別に接続するため、実質的には１本の電線１５を１極の電気コネクタを用いてインバータ基板３に接続すればよいことになる。しかし、１極の電気コネクタを用いて１本の電線１５をインバータ基板３に接続すると、コネクタの接触不良や、電線切れ等が生じた場合、たちまちバックライトが動作不良を起こし、信頼性の点で問題がある。そこで、図１０に示すように、各ＥＥＦＬ管１０の電極１１，１１に並列回路で接続した２本の電線１５，１５を各インバータ基板３に接続すれば、前述した動作不良を防止して、信頼性を高めることができる。
【特許文献１】特許第３２５４１８８号公報
【特許文献２】特許第３２６２７２６号公報
【発明の開示】
【発明が解決しようとする課題】
【０００７】
本発明は、図１０に示した回路構成における２本の電線１５，１５をインバータ基板３に接続するのに適したコネクタを提供することを目的としている。具体的には、２本の電線１５，１５の端部に接続する雌コネクタは、図１１に示した従来の冷陰極蛍光ランプ（ＣＣＦＬ管）１を用いた回路構成において２本の電線５，５端部に接続した既存の雌コネクタ６をそのまま利用し、該雌コネクタ６が嵌合接続する雄コネクタ４を改良して、インバータ基板３に対する接続信頼性を高めた短絡コネクタを提供する。
【課題を解決するための手段】
【０００８】
上記目的を達成するために、本発明は、絶縁ハウジングに収容された２極のピンコンタクトが、前記ハウジングの開口部に向けてほぼ平行に突出する２本の接触ピン部と、該両接触ピン部に対応して設けられ、前記ハウジングから延出してプリント配線板にはんだ付けされる２つのリード部とを有し、前記接触ピン部と前記リード部との中間部分が接続片により一体的に接続されている短絡構造のコンタクトを備えた雄コネクタであって、２本の電線端部に接続された一対のソケットコンタクトを絶縁ハウジングに収容した雌コネクタが、前記開口部に挿入して、前記一対のソケットコンタクトと前記両接触ピン部が嵌合接続することを特徴とする短絡コネクタである。
【０００９】
前記両リード部は、互いに横外側方へ屈曲して延出し、そのはんだ付け部分が前記ハウジングの底部後端の両隅に配設されている。
【００１０】
前記ハウジングの底部前端の両隅に補強タブが設けられている構成とすることが好ましい。
【００１１】
また、前記ハウジングの後側壁に前記両接触ピン部が貫通する挿通孔と、前記連結片が嵌合して保持される嵌合溝とが設けられていて、２本のピンコンタクトが前記連結片を介して一体に構成された短絡構造の前記コンタクトが、前記ハウジングに安定した姿勢で組み付けられる。
【発明の効果】
【００１２】
以上説明したように、本発明の短絡コネクタは、２極のピンコンタクトが接続片により一体的に接続された短絡構造になっているので、一方のピンコンタクトに嵌合接続したソケットコンタクトとの接触不良や、該ソケットコンタクトに接続した電線が切断することがあっても、他方のピンコンタクトに嵌合接続したソケットコンタクト及び電線により動作不良を防止できる。しかも、前記各ピンコンタクトのリード部をプリント配線板で短絡接続する場合に比べて、パターンに対する負荷やパターン切れなどの問題が無いので、信頼性の点でもすぐれている。
【００１３】
また、２極のピンコンタクトを有するコンタクト自体が一体構造であるから、各ピンコンタクトのリード部のはんだ付け部分を同一面上に配置させ易く、安定したはんだ付けが可能となり、作業性がすぐれていると共に、絶縁ハウジングに対する組立が１行程ですむので、コストダウンが図れる。
【００１４】
さらに、本発明の短絡コネクタと既存の雌コネクタ６を、前述のように、外部電極蛍光ランプ（ＥＥＦＬ管）１０を配列して構成したバックライトと、その電源回路を構成するインバータ基板との接続に使用すると、インバータ基板及びコネクタの使用個数が削減でき、既存の雌コネクタ６を使用することによるコストメリットとが相俟って、組立作業性とコストメリットを大幅に高めることが可能である。
【発明を実施するための最良の形態】
【００１５】
以下、本発明の実施の形態を図面に基づいて説明する。
【００１６】
図１ないし図３は、本発明に係る短絡構造の雄コネクタ（短絡コネクタ）２０を示している。該雄コネクタ２０は、扁平な四角筒形状の絶縁ハウジング２１と、該絶縁ハウジング２１に収容して配設された短絡構造のコンタクト２２とからなっている。
【００１７】
絶縁ハウジング２１は、図４及び図６に良く示されているように、前端に開口部２３を有し、後側壁２４の中央部分から開口部２３に向けて突出する隔壁２５が設けられていて、該隔壁２５は後述する２本のピンコンタクト３１，３１の接触ピン部３２，３２の中間に配設され、両接触ピン３２，３２の先端より長く延出している。また、後側壁２４に隣接する両側壁２６，２６の内側面には後述する雌コネクタ６の係止突片４５，４５を係合させる係止溝２７，２７が設けられている。さらに、後側壁２４には、両接触ピン部３２，３２が貫通する挿通孔２８，２８と、後述するコンタクト２２の接続片３６が嵌合して保持される嵌合溝２９とが設けられ、両挿通孔２８，２８は嵌合溝２９の両端部分に連通している。さらに、ハウジング２１の前端部上面の両側に、後述する雌コネクタ６の絶縁ハウジング４１を係止固定する係止突部３０，３０が突設されている。
【００１８】
コンタクト２２は、黄銅板などの導電性金属薄板を打ち抜き曲げ加工して作られ、図７に良く示されているように、２極のピンコンタクト３１，３１が一体に成形された構造を有している。各ピンコンタクト３１は、接触ピン部３２と、該接触ピン部３２の基端に連設された中間部分３３と、該中間部３３から後方に延出して設けられたリード部３４と、該リード部３４の端部に形成されたはんだ付け部分３５とを有しており、両ピンコンタクト３１，３１の中間部分３３を接続片３６により一体的に接続して短絡構造のコンタクト２２としたものである。リード部３４は横外側方へ屈曲して延出し、その端部にはんだ付け部分３５が後方へ突出した態様に形成されている。
【００１９】
上記構造のコンタクト２２は、絶縁ハウジング２１の後部から組付けられ、両接触ピン３２，３２を後側壁２４の挿通孔２８，２８に挿通してハウジング２１の開口部２３に向けてほぼ平行に突出させると共に、中間部分３３，３３と接続片３６を嵌合溝２９に嵌合して保持させると共に、中間部分３３，３３，の外側面に突設した突起３７，３７をハウジング２１に圧入させることにより、コンタクト２２をハウジング２１に固定して短絡構造の雄コネクタ（短絡コネクタ）２０が完成する。該雄コネクタ２０のリード部３４，３４はハウジング２１の後部から延出し、そのはんだ付け部分３５，３５がハウジング２１の底部後端の両隅近傍においてハウジング底面とほぼ同一平面上に配設されている。また、ハウジング２１の前端部両側壁には、補強タブ（補強金具）３８，３８が嵌挿され、ハウジング底面とほぼ同一平面上に配設されている。
【００２０】
上記した短絡構造の雄コネクタ２０は、図１０に示すように、２枚のインバータ基板３，３に両ピンコンタクト３１，３１の両はんだ付け部分３５，３５と両補強タブ３８，３８をはんだ付けして表面実装される。
【００２１】
一方、雄コネクタ２０に嵌合接続する雌コネクタ６は、前述のように既存のものと同じであり、細部についての説明は省略するが、図８に示すように、絶縁ハウジング４１の前半部分に一対の筒状体４２，４２が二股状に形成されていて、各筒状体４２，４２に、図１０に示した電線５と補助電線９の端部に接続した一対のソケットコンタクト４３，４３が個別的に離隔して収容されている構造を有し、各筒状体４２，４２の前端部にはピンコンタクト３１の接触ピン部３２が挿入する開口４４，４４が設けられている。また、両筒状体４２，４２の前端部外側面には雄コネクタ２０のハウジング２１の内側に設けた係止溝２７，２７に係合する係止突片４５，４５が設けられている。絶縁ハウジング４１の上面には、後端部から前端部に向けて延びる弾性ロックアーム４６が設けられている。該ロックアーム４６は後端がハウジング４１の後端部上面の突設した取付台部４７に固着され、ハウジング４１の上面との間に一定の隙間（雄コネクタ２０のハウジング２１の上壁の厚みより僅かに大きい隙間。）を設けて前端側へ延びている。該ロックアーム４６は、長手方向へ延びる２本の切欠き孔４８，４８を設けて横方向へ弾性変形可能に構成されており、かつ、ロックアーム４６の両外側面には雄コネクタ２０のハウジング２１の前端部両側に突設した係止突部３０，３０に係合する係止爪４９，４９が設けられている。
【００２２】
図１０に示す回路構成において、２本の電線１５，１５の端部がソケットコンタクト４３，４３に接続されている雌コネクタ（ソケットコネクタ）６のハウジング４１を、インバータ基板３に表面実装されている雄コネクタ２０のハウジング２１の開口部２３から挿入すると共に、ロックアーム４６をハウジング２１の上面に沿うように係合させると、図９（ａ）に示すように、ピンコンタクト３１，３１の接触ピン部３２，３２がソケットコンタクト４３，４３に嵌合して電気的に接続され、各ＥＥＦＬ管１０は２本の電線１５，１５を通じて、雌コネクタ６と雄コネクタ２０を介してインバータ基板３に電気的に接続される。一方、嵌合接続時にロックアーム４６の両係止爪４９，４９がハウジング２１の両係止突部３０，３０に当接すると、弾性ロックアーム４６が横方向内側へ弾性変形して両係止爪４９，４９が係止突部３０，３０を乗り越える。そして、係止突部３０，３０を乗り越えた両係止爪４９，４９がロックアーム４６の弾性復元力により両係止突部３０，３０に係止保持されたときのクリック感で雌コネクタ６と雄コネクタ２０が正しい嵌合状態に接続されていることが確認できる（図９（ｂ）参照）。
【００２３】
上記のような嵌合接続において、各ＥＥＦＬ管１０の外部電極１１，１１に接続した２本の電線１５，１５は、インバータ基板３に実装された雄コネクタ２０のコンタクト２２に短絡接続されているので、一方の電線１５にコネクタとの接触不良や、電線切れ等が生じることがあっても、他方の電線１５により補って動作不良を防止することができる。
【図面の簡単な説明】
【００２４】
【図１】本発明に係る短絡構造の雄コネクタ（短絡コネクタ）の平面図である。
【図２】同上雄コネクタの正面図である。
【図３】同上雄コネクタの側面図である。
【図４】図２の４−４線に沿う断面図である。
【図５】図２の５−５線に沿う断面図である。
【図６】図３の６−６線に沿う断面図である。
【図７】同上雄コネクタのコンタクトの斜視図である。
【図８】電線を接続した雌コネクタ（ソケットコネクタ）を示しており、（ａ）は平面図、（ｂ）は側面図である。
【図９】同上雌コネクタと雄コネクタの嵌合接続状態を示しており、（ａ）は縦断側面図、（ｂ）は平面図である。
【図１０】外部電極管蛍光ランプ（ＥＥＦＬ管）を用いたバックライトの回路構成を示す説明図である。
【図１１】冷陰極管蛍光ランプ（ＣＣＦＬ管）を用いたバックライトの回路構成を示す説明図である。
【符号の説明】
【００２５】
１  冷陰極管蛍光ランプ（ＣＣＦＬ管）
２  電極
３  インバータ基板
５  電線
６  雌コネクタ
１０  外部電極管蛍光ランプ（ＥＥＦＬ管）
１１  外部電極
１２  リレー基板
１３  導電性パターン
１４  端子金具
１５  電線
２０  雄コネクタ（短絡コネクタ）
２１  絶縁ハウジング
２２  短絡構造のコンタクト
２３  開口部
２４  後側壁
２８  挿通孔
２９  嵌合溝
３１  ピンコンタクト
３２  接触ピン部
３３  中間部分
３４  リード部
３５  はんだ付け部分
３６  接続片
４１  絶縁ハウジング
４３  ソケットコンタクト
４６  弾性ロックアーム
【図１】
2006310208.tif 000003
【図２】
2006310208.tif 000004
【図３】
2006310208.tif 000005
【図４】
2006310208.tif 000006
【図５】
2006310208.tif 000007
【図６】
2006310208.tif 000008
【図７】
2006310208.tif 000009
【図８】
2006310208.tif 000010
【図９】
2006310208.tif 000011
【図１０】
2006310208.tif 000012
【図１１】
2006310208.tif 000013